(57)【特許請求の範囲】
【請求項１】
カテーテル挿入装置のカニューレを保護するための装置（１０）であって、前記カニューレは、患者にカテーテルを取り付けて、その後、前記カテーテル挿入装置内に引っ込めるようにしたカニューレ針を有し、前記装置（１０）は（ａ）前記カニューレ針を収納するための針ガード手段（１２）と、（ｂ）前記針ガード手段（１２）の先端部に一体接続されたノーズ部材（２０）を有するカテーテルハブ支持構造体を具備し、それにより前記針ガード手段（１２）とカテーテルハブ支持構造体が一体成形構造体で構成されている装置（１０）において、
一体のヒンジ手段（２２）が前記針ガード手段（１２）と前記カテーテルハブ支持構造体を相互接続していること、および前記ノーズ部材に係止されたカテーテルハブを前記ノーズ部材から解除するためのレバー手段（２８）が前記針ガード手段（１２）と前記ノーズ手段（２０）のヒンジ接続部（２２）に近接する前記ノーズ部材（２０）の一端に配置されて前記カテーテルハブ支持構造体と一体に形成され、一体の第２ヒンジ手段（３０）が前記レバー手段（２８）を前記ノーズ部材（２０）に接続していることを特徴とする装置（１０）。
【請求項２】
前記一体のヒンジ手段（２２）は前記ノーズ部材（２０）を前記針ガード手段（１２）の先端に接続する柔軟なウェブからなり、前記ノーズ部材（２０）は前記構成要素の形成時に前記針ガード手段（１２）にある角度の関係で延びており、前記ヒンジ手段（２２）の周りで同軸方向に軸旋回して機能的に作用する前記構成要素のアセンブリになることが可能である請求項１に記載の装置（１０）。
【請求項３】
前記ノーズ部材（２０）は管状要素からなり、前記一体のヒンジ手段（２２）は前記管状要素の一端を前記針ガード手段（１２）に接続する請求項１または請求項２に記載の装置（１０）。
【請求項４】
プッシュタブ手段（１６）が前記針ガード手段（１２）の先端に形成され、前記ノーズ部材（２０）上のラッチ手段（３６）が、前記プッシュタブ手段（１６）に形成された切欠き内で、前記カテーテルハブ支持構造体と前記針ガード手段（１２）の同軸組み立て方向に係合可能である請求項１、請求項２または請求項３に記載の装置（１０）。
【請求項５】
その同軸組み立て方向に前記構成要素にラッチをかけるように、前記切欠き内の突起が前記ラッチ手段（３６）の回り止めと前記構成要素の組み立て方向に係合可能である請求項４に記載の装置（１０）。
【請求項６】
前記ラッチ手段（３６）は前記ノーズ部材（２０）の一端から軸方向に延びる細長い要素からなり、前記ノーズ部材（２０）が前記ヒンジ手段（２２）の回りで軸旋回して前記針ガード手段（１２）と同軸方向になるときに、弧を描くように動いて前記プッシュタブ手段（１６）の前記切欠き内に入る請求項４または５に記載の装置（１０）。
【請求項７】
前記ラッチ手段（３６）は前記ノーズ部材（２０）と一体に形成される請求項４から６のいずれかに記載の装置（１０）。
【請求項８】
前記第２ヒンジ手段（３０）は柔軟なウェブからなり、前記レバー手段（２８）にかけられた手動圧力に応じた前記ノーズ部材（２０）に対する前記レバー手段（２８）の軸旋回振れを容易にする請求項１から７のいずれかに記載の装置（１０）。
【請求項９】
前記レバー手段（２８）は前記ノーズ部材（２０）を横に跨ぎ、その半径方向外側に延びるプレート要素からなり、手動でかけられた軸方向の力に応じて前記ノーズ部材（２０）に設置されたカテーテルハブに接触して、前記カテーテルハブを前記ノーズ部材（２０）から外すように適合していることにより、前記カテーテルハブを前記装置（１０）から解除する請求項８に記載の装置（１０）。
【請求項１０】
前記装置（１０）の前記構成要素は一体に成形されたプラスチック材料からなる請求項１から９のいずれかに記載の装置（１０）。
【請求項１１】
前記プラスチック材料は結晶性熱可塑性樹脂からなる請求項１０に記載の装置（１０）。
【請求項１２】
前記プラスチック材料はポリプロピレン、ポリエチレン、ナイロン、ポリエステルおよびアセタールからなる材料の群から選択される請求項１０に記載の装置（１０）。
【発明の詳細な説明】
【０００１】
【発明の属する技術分野】
本発明は一般に静脈注射のカテーテル挿入装置に関し、特に、患者の体から針を引き抜くと同時に作用する自動カテーテル針先端保護構造体を設けることによって、使用された静脈注射（ＩＶ）針によってうっかり刺される可能性から臨床職員をフェールセーフ（安全装置付き）で保護するカテーテル針先端保護安全機構に関する。
【０００２】
より詳細にいえば、本発明は安全カテーテル用の共にスナップ作動するノーズとガード装置の配設に関するもので、その装置はカテーテルハブ解除機構を備えるように適用されており、それによりカテーテル挿入装置のノーズとガード装置は、完全体のあるいは一体に成形された構造体で構成され、そのため複数の別個の構成要素から通常組み立てられる現在のこのタイプの構造体と比較して、製造コストをかなり低下させる。
【０００３】
特に、本発明の好ましい実施態様によれば、新規なヒンジ付き構成要素を組み込む一体のあるいは単一片に成形されたノーズおよびガード装置が提供されている。この装置はノーズとガードをふさわしいプラスチック材料から構成された単一の構成要素から成形することができ、その単一の構成要素は、ガード内にスナップしてカテーテル挿入装置に機能的に作用するノーズとガードのアセンブリを設けるように、一体のヒンジの周りをノーズを軸旋回させてある位置へ容易に移動することができ、しかも共に成形されたレバーの別の一体ヒンジも組み込み、ノーズに配置されるカテーテルハブの取り外しを容易にする。
【０００４】
【従来の技術】
患者の皮膚に刺すために尖った中空針あるいはカニューレを使用する臨床装置と、静脈穿刺を行なうためにそのような針を利用する特にカテーテルの利用は、医学技術でよく知られており、直接患者の血流内に流体と薬を注射するために医者と臨床職員によって広く行なわれている。さらに、外科手術あるいは外科手順の際に、そのような外科手順を受ける患者に全輸血と非経口流体を投与することがしばしば必要となる。本質的に良く知られ、かなり長い時間使用されているように、患者の心血管系へ、そのような流体を注入することにより、中空の固い針を静脈注射で投与される流体のソースに相互連結するように適用される流体連結部用の近位の取り付け場所を有する針を利用する静脈穿刺の形成を必要とした。
【０００５】
静脈穿刺を介して患者に液体を投与する前述の方法は、この医学的技術で患者に対する流体の投与においてむしろ幾つかの重要な問題を招くことになった。従って、取り組まなければならなかった第１の問題は、針本来の固さにあり、その針の固さは通常、一般に外科用特性鋼で構成され、患者の静脈に挿入されると同時に、安全のために流体の投与あるいは輸血の時間を通して、静脈穿刺の一般的な場所の固定された位置に針が保持される必要があった。前述の説明に加えて、血液サンプルを定期的に抜き取り、および／又は患者に静脈注射の流体を逐次投与することが必要であった時はいつでも、各々特定の時間で体の様々な場所に行なわれる一連のあるいは複数の静脈穿刺を患者に受けさせる必要があり、その結果、そのような繰り返しの幾分痛い不快な静脈穿刺のために、患者に比較的忘れられない経験となる。
【０００６】
前述の問題の改良あるいは解消のために、医学技術ではシラスティックあるいはテフロンのような低摩擦材料からなる柔軟なチューブ状カテーテルを患者の静脈に挿入したり、例えば、非経口の流体を含む流体の定期的投与や、血液／プラズマ輸血、液状形態での投薬また血液サンプル採取のための投薬などの目的で長期間にわたり、そのカテーテルチューブをそのような位置に挿入したままにすることがこれまで良く行なわれてきた。繰り返しの静脈穿刺により以前経験した外傷、血液の溢れ出し、浸透は、この方法でかなり回避されており、長期間、体内に固い針をそのままにしておく患者への危険と不快感は大体解消されている。従って、管腔あるいは血管のような患者の体腔内に、そのような柔軟なカテーテルチューブの遠位端を配置するために、静脈穿刺を形成する目的でカニューレあるいは中空の尖った先端の針が通常使用される。その後、スリーブ状に伸びるように、カニューレあるいは中空針の外周に入れ子式に同軸方向にスライド可能に取り付けられる柔軟なカテーテルチューブを、静脈穿刺を形成した針に続く静脈内に針の全長に沿って前進させる。その後、静脈穿刺の場所の患者の体内にカテーテルを残しながら、針をカテーテチューブの内側から引き抜くようにし、その後、その針を適当に廃棄する。
【０００７】
静脈穿刺を形成すると同時に、患者の体内に前に配置された針が、例えば、しばしばあるいは実際上いつも、その性質上極めて重要な後天性免疫不全症候群や、あるいは肝炎のような他の危険な感染状態に感染した患者のような感染者に晒されているので、臨床職員は患者の体内から針を引き抜いた後、その使用された針で不意にあるいはうっかり自分自身を突いたり刺したりす危険あるいは事故を招き、その結果、感染したり死んだりすることもある。
【０００８】
【発明が解決しようとする課題】
非常に多くのカテーテル挿入装置とカテーテル針先端保護および安全機構は、特定の技術で発達してきたが、一般に、カテーテルハブを取り付けるのに適用されるカテーテル挿入装置のノーズ部は、患者に実施された静脈穿刺の場所からカテーテル針を引き抜くと同時に、その使用されたカテーテル針にカバーをかける針ガード構造体とは別個の構成要素として成形される。そのような様々な装置と機構が医学技術で開発されたが、これらの装置は、機能的に作用するアセンブリを得るために組み立てられる複数の別個の構成要素で大抵の場合構成されており、使用すべき手動労力をかなりの量必要とし、使い捨て特性を持つそのような装置を、しばしば、使用時に非常に費用がかかるか、あるいは不経済なものにする。
【０００９】
そこで、Purdy らの米国特許第5,215,528 号は、カテーテルを血管内に挿入するためのアセンブリであって、針を固定した針ハブを有すると共に、中に針を引っ込めるようにした針ガードを有するアセンブリを開示している。しかしながら、そのカテーテル挿入アセンブリの針ガードと一体の針ハブを取り付けるための一体のノーズ部の開示はなされていない。
【００１０】
Lituchy の米国特許第5,205,829 号は、針ガードの取り付けが可能なノーズ部材を有し、カテーテルハブを取り付けている静脈注射のカテーテル装置を開示している。この場合、ノーズとガードは２つの別個に成形された構成要素から作られており、本質的に必要なアセンブリ構造体を設けるように複数の部品を必要とする。
【００１１】
Lemieux の米国特許第5,127,905 号は装置の使用後に針を保護するための安全針ガードを有し、その針ガードから取り外しできるノーズ部がカニューレのハブを取り付けるように適用されるカテーテル装置を開示している。また、その装置も複数の別個に成形された構成要素で構成されており、全体の装置を製造するには複雑で費用がかかる。
【００１２】
Lutherらの米国特許第4,950,252 号は、保護環境で使用されたカニューレを内部に収納するために相互に相対的に軸方向に伸ばすことができるカニューレガードとハウジング構造体を開示している。
【００１３】
McDonaldの米国特許第4,944,725 号は、結果として患者からの危険な感染転移になる、思いがけずに針を刺してしまうことから臨床医あるいは医者を保護するための構造体を取り入れた静脈注射のカテーテルを開示している。そのカテーテルは中空あるいはカニューレ構造の針の助けにより患者の体内に挿入される。針はその後、引き抜き工程のどの段階でも針を露出しない保護ハウジング内に患者の体から、引き抜かれる。次に、ハウジングは、針の引き抜きに続く場所で、その時に続く場所でカテーテルハブのロックを外すため、そして１つの連続動作で引き抜きとロックを行なうためにラッチされる。
【００１４】
患者の体から針を外したのに続いて、あるいは、その時と同時に、針の先端を保護するように適用できる他の開示がDomobrowski らの米国特許第4,790,828 号になされており、この特許では、針をシース状膨張装置内に引っ込めるように、針を包囲する折り畳み可能な繋ぎ構造体によってノーズ部あるいはキャップをハウジングに繋ぎとめる。シース状膨張装置は、針を使用した場所に身を晒して突かれることによって生ずる臨床職員への潜在的な怪我を確実に防止する。
【００１５】
【課題を解決するための手段】
本質的に、ノーズとガード構造を取り入れた前述の針保護装置は広く利用され、同様のタイプの装置も多数の米国特許公報から知られているが、これらの装置はいずれも、ガードとラッチ噛み合いを形成して機能的に作用する組み立て関係になるために、複数の、好ましくは２つのヒンジを組み入れた一体構成、あるいは成形のノーズとガード構造体を設けてガードに対しノーズを変形あるいは軸旋回できず、しかもカニューレハブ解除装置も設けていない。針保護装置のこのタイプの単一ノーズ・ガード構造体は、単一片あるいは一体成形構成要素を形成するが、複数の機能を単一のプラスチック要素に成形しているので、極端に効率的な方法で製造コストと組み立てコストを下げることができる。
【００１６】
前述のことに関し、一体のカニューレハブ解除レバーを組み入れる単一片あるいは一体形成されヒンジ接合された新規なノーズとガードのアセンブリ構造体は、ノーズとガードとそのノーズに取り付けられたカテーテルハブを解除できるカテーテルハブ解除レバーのような複数の機能をこなし、しかもその構造体は、全体構造の成形構成要素の数を経済的に最小に維持すると同時に、片手で使用してユーザーが扱い易いカテーテル操作に適用される。
【００１７】
上記独特の単一成形構造体によれば、ノーズは細長い針ガード要素の先端とヒンジ接合で成形され、このヒンジの周りに軸旋回してその先端に揃えて組み立てられるようになっており、レバー作動のラッチ構造体を組み入れて、この機能的に作用する組み立て関係においてガードとスナップ嵌めを行なう。通常、摩擦嵌め面接触でカテーテルハブをノーズに取り付ける場合、ノーズからカテーテルを容易に押し外すか取り外せるように手動で取り扱いができ前方に向きを変えることができる別のレバーが、いわゆる２つのヒンジ付き構造体を備えるように、さらに、上記構造体に一体に成形され、他のすなわち第２ヒンジの周りに軸旋回可能である。
【００１８】
ノーズとガードとカテーテルハブ解除レバーの１片（体部）と相互接合用ヒンジが完全体あるいは単一構造であるため、別個で成形され、続いて徐々に組み立てられた複数の構成要素を組み込んだ現在使用されている同様の構造体と比較して、かなりの率でこれらの構成要素の製造コストを低下することができ、それらの構成要素を機能的な相互関係に配置することができる。
【００１９】
従って、本発明の目的は、針の挿入および保護装置の一体で形成あるいは成形された新規なノーズおよびガード構造体を提供することである。
本発明の別の目的は、ヒンジで相互接合されるノーズと針とカテーテルハブ解除レバーを組み込み、しかも片手でユーザーが扱い易いアセンブリとその使用を可能にする、一体で構成されたカテーテル針保護装置を提供することである。
本発明のさらに別の目的は、主要な機能全てが単一成形され容易に扱える構造にまとめられている静脈注射のカテーテル挿入装置と針先端保護構造体用のヒンジで相互接合された一体の複合ノーズ、ガード、カテーテルハブ解除レバーを提供することである。
【００２０】
【発明の実施の形態】
次に、図面、特に図１から図８を詳細に参照する。これらの図には静脈穿刺の実施あるいは静脈注射の流体の適用に利用する針のガード１２を有する装置１０が示されており、その装置では、ガード１２は横断面が一般に箱形あるいはＵ字形の細長い部材であり、米国特許出願番号08/483,949号に開示されたガードにわずかに類似している。その出願は本出願の譲受人に共通に譲受され、その開示はこの明細書に参考として含まれる。
【００２１】
ガード１２の先端あるいは前端１４は、共に一体成形された後方に延びる上プッシュタブ１６を有する。このプッシュタブ１６は、本質的に大体平らな要素であり、ユーザーの親指あるいは他の指によりその装置を操作できるようになっている。薄い壁のウェブ接合部で構成された一体成形のヒンジ２２の手段を介して、ガード１２に接続され、それと一体成形の管状ノーズ部２０が、ガード１２の先端１４にヒンジ接続され、その先端１４から一般に９０°の角度で垂れ下がっている。本質的に中空管状部材であるノーズ部２０は、内部に静脈注射の針を通すように適用され、例えば摩擦接触による係合でノーズ部に取り付けたカテーテル（図示せず）のハブを有するように適用した外環状面２４を有している。ガード１２の先端１４に隣接するノーズ２０のヒンジ部２２の近くにハブ（図示せず）の端部壁を配置するように、ハブをノーズ２０に設置することができる。
【００２２】
カテーテルのハブの解除（レリース）を行なうためのレバー要素２８は、ノーズ部２０と一体成形され、ノーズ部２０に一般に直角に延びており、それにより、ノーズ部２０とレバー要素２８の間の薄い柔軟なウェブ接合部で同様に構成された一体成形のヒンジ構造体３０の媒体を介してノーズ部２０に対し、レバー要素２８も、本質的に軸旋回可能である。図２と図３に特に詳細に示したように、レバー要素２８はノーズ２０にまたがる本質的に平面プレート構造体でよい。図５に示すように、ノーズ部２０とガード１２の軸方向に組み立てられた配置に対し軸旋回するように、レバー要素２８が向きを変えられるようになっている。
【００２３】
ラッチ要素３６は、図９に示したように、ノーズ部２０の端部３２からガード１２の縦範囲まで直角上向き方向に一般に同軸方向に延びている。このラッチ要素３６は、図５、１０、１１に示すように、ノーズ部２０をヒンジ２２周囲に軸旋回させてガード１２と軸方向に組み立てたられた位置合わせ状態になると、くぼみと回り止め４２によって噛み合い、実際、ガードのプッシュタブ１６に形成されたくぼみ３８に噛み合い、プッシュタブ１６の相互噛み合い突起４０とラッチ要素３６の回り止め４２によりくぼみ３８内で止められ、細長いガード１２に対して軸方向に組み立てた位置にノーズ部２０を固定させる。ノーズ部２０とガード１２間の解除は、突起４０を回り止め４２から噛み合わせを解くようにプッシュタブ１６をただ押し下げることによって行なうことができる。
【００２４】
図１０と１１から確かめることができるように、針をガードに引っ込めた後、ノーズ部２０からカテーテルあるいはカニューレハブ（図示せず）を設置するノーズ部２０からそれを押し離すことが望ましい場合、この出願の譲受人に共通に譲受され、その開示が本明細書に参考として含まれる、共に係属中の米国特許出願第08/483,949号と第08/483,950号と第08/483,951号の全てから例えば確かめられるように、矢印Ａで示すようにカテーテルハブ解除レバー要素２８に対し前方に指圧をかけ、レバー要素２８とノーズ部２０を接合するヒンジ３０の周りにレバー要素２８を軸旋回させ、それによりハブを設置したノーズ部２０からハブをスライドさせあるいは押し離すようにすることが必要なだけである。
【００２５】
これまで必要とされた複数の独立した完全体と要素からなるこれらの構成要素アセンブリの代わりに、前述の構造は、ノーズ部２０、ガード部材１２およびカテーテルハブ解除レバー要素２８からなる全体装置１０を容易に単一あるいは一体部品で成形することができる点において極端に単純な特性を有している。この容易性により製造コストをかなり下げると共に、全体装置のアセンブリ（組み立て）時間も短縮する。先行技術の多数構成要素の装置と比較して、各々そのような装置に対して得られる経済性と省力性はペニーあるいは少ない通貨量でのみ測定されるが、これらの装置が一般に１回使用、あるいは使い捨て性であり、多数の量で製造され利用されるので、製造コストと取り扱い時間の両方で得られる全体の財政上の節約はかなり重要である。
【００２６】
前述の一体構造体あるいは装置１０を得るための成形方法はかなり簡単に実施され、一見したところで特性が比較的複雑なように見えるが、ノーズ、ガードおよびカテーテルハブ解除レバーのような複数の機能を組み合わせる単一のプラスチック構成要素の射出成形は、例えば、ポリプロピレン、ポリエチレン、ナイロン、様々なポリエステル、アセタールなどからなる材料の群から選択されるような結晶性の熱可塑性樹脂に与えられた一体ヒンジ特性の使用によって達成される。
【００２７】
前述の説明から、単一の成形構成要素から作られたノーズ、ガードおよびカテーテルハブ解除レバーの構造体は、このタイプの先行技術の装置に与えられた必要な動作特性と構造上の特性の全てを備えていると同時に、製造コストをかなり下げ、その構造体の取り扱いと組み立てをかなり単純化させることが、当業者に容易に明らかになる。
【００２８】
本発明の好ましい実施態様であると考えられることについて図示し説明されてあるが、本発明の精神から逸脱せずに、形態と詳細を様々改良し改造することが容易にできることが、勿論、理解されよう。従って、本発明はこの明細書に図示し説明したその物の形態と詳細に限定されず、また請求の範囲に開示した本発明全体より小さいものにも限定されないことを意味している。
【００２９】
本発明の具体的な実施態様は以下の通りである。
（Ａ）  カテーテル挿入装置のカニューレを保護するための装置（１０）であって、前記カニューレは、患者にカテーテルを取り付けて、その後、前記カテーテル挿入装置内に引っ込めるようにしたカニューレ針を有し、前記装置（１０）は（ａ）前記カニューレ針を収納するための針ガード手段（１２）と、（ｂ）前記針ガード手段（１２）の先端部に一体接続されたノーズ部材（２０）を有するカテーテルハブ支持構造体を具備し、それにより前記針ガード手段（１２）とカテーテルハブ支持構造体が一体成形構造体で構成されている装置（１０）において、
一体のヒンジ手段（２２）が前記針ガード手段（１２）と前記カテーテルハブ支持構造体を相互接続していること、および
レバー手段（２８）が前記針ガード手段（１２）と前記ノーズ手段（２０）のヒンジ接続部（２２）に近接する前記ノーズ部材（２０）の一端に配置されて前記カテーテルハブ支持構造体と一体に形成され、一体の第２ヒンジ手段（３０）が前記レバー手段（２８）を前記ノーズ部材（２０）に接続していることを特徴とする装置（１０）。
（１）前記一体のヒンジ手段（２２）は前記ノーズ部材（２０）を前記針ガード手段（１２）の先端に接続する柔軟なウェブからなり、前記ノーズ部材（２０）は前記構成要素の形成時に前記針ガード手段（１２）にある角度の関係で延びており、前記ヒンジ手段（２２）の周りで同軸方向に軸旋回して機能的に作用する前記構成要素のアセンブリになることが可能である実施態様（Ａ）に記載の装置（１０）。
（２）前記ノーズ部材（２０）は管状要素からなり、前記一体のヒンジ手段（２２）は前記管状要素の一端を前記針ガード手段（１２）に接続する実施態様（Ａ）または実施態様（１）に記載の装置（１０）。
（３）プッシュタブ手段（１６）が前記針ガード手段（１２）の先端に形成され、前記ノーズ部材（２０）上のラッチ手段（３６）が、前記プッシュタブ手段（１６）に形成された切欠き内で、前記カテーテルハブ支持構造体と前記針ガード手段（１２）の同軸組み立て方向に係合可能である実施態様（Ａ）、実施態様（１）または実施態様（２）に記載の装置（１０）。
（４）その同軸組み立て方向に前記構成要素にラッチをかけるように、前記切欠き内の突起が前記ラッチ手段（３６）の回り止めと前記構成要素の組み立て方向に係合可能である実施態様（３）に記載の装置（１０）。
【００３０】
（５）前記ラッチ手段（３６）は前記ノーズ部材（２０）の一端から軸方向に延びる細長い要素からなり、前記ノーズ部材（２０）が前記ヒンジ手段（２２）の回りで軸旋回して前記針ガード手段（１２）と同軸方向になるときに、弧を描くように動いて前記プッシュタブ手段（１６）の前記切欠き内に入る実施態様（３）または（４）に記載の装置（１０）。
（６）前記ラッチ手段（３６）は前記ノーズ部材（２０）と一体に形成される実施態様（３）から（５）のいずれかに記載の装置（１０）。
（７）前記第２ヒンジ手段（３０）は柔軟なウェブからなり、前記レバー手段（２８）にかけられた手動圧力に応じた前記ノーズ部材（２０）に対する前記レバー手段（２８）の軸旋回振れを容易にする前記実施態様のいずれかに記載の装置（１０）。
（８）前記レバー手段（２８）は前記ノーズ部材（２０）を横に跨ぎ、その半径方向外側に延びるプレート要素からなり、手動でかけられた軸方向の力に応じて前記ノーズ部材（２０）に設置されたカテーテルハブに接触して、前記カテーテルハブを前記ノーズ部材（２０）から外すように適合していることにより、前記カテーテルハブを前記装置（１０）から解除する実施態様（７）に記載の装置（１０）。
【００３１】
（９）前記装置（１０）の前記構成要素は一体に成形されたプラスチック材料からなる前記実施態様のいずれかに記載の装置（１０）。
（１０）前記プラスチック材料は結晶性熱可塑性樹脂からなる実施態様（９）に記載の装置（１０）。
（１１）前記プラスチック材料はポリプロピレン、ポリエチレン、ナイロン、ポリエステルおよびアセタールからなる材料の群から選択される実施態様（９）に記載の装置（１０）。
【００３２】
【発明の効果】
以上説明したように本発明に係るカテーテル針先端保護安全機構によれば、製造コストを下げ、取り扱いを容易にすることができる。
【図面の簡単な説明】
【図１】カテーテル針先端保護機構の一体に成形されたノーズとガード装置を概略的に示す図である。
【図２】図１の装置の上平面図を示す。
【図３】図１の装置の底平面図を示す。
【図４】図１の装置の端部正面図を示す。
【図５】共にスナップして作用するそのアセンブリで示された装置の側面図を示す。
【図６】図１の装置の正面端部を特に詳細にしかもわずかに拡大して示す図である。
【図７】図６の線７−７に沿った断面図を示す。
【図８】図６の線８−８に沿った断面図を示す。
【図９】図６の断面図を示す。
【図１０】共にスナップさせた組み立て位置で示された装置の前方端部の側面図を示す。
【図１１】図１０の一部縦断面図で示す図１０と同様の図を示す。
【図１】
0004022279.tif 000002
【図２】
0004022279.tif 000003
【図３】
0004022279.tif 000004
【図４】
0004022279.tif 000005
【図５】
0004022279.tif 000006
【図６】
0004022279.tif 000007
【図７】
0004022279.tif 000008
【図８】
0004022279.tif 000009
【図９】
0004022279.tif 000010
【図１０】
0004022279.tif 000011
【図１１】
0004022279.tif 000012